Podtech/llm-jp-corpus-v4-ja_patent huggingface dataset:
(57)【要約】      （修正有）【課題】納豆の粘々感を気にすることなく、納豆の嫌いな人でも、従来の感覚では味わえない雰囲気で納豆の味を満喫することが出来るインスタンス納豆を提供する。【解決手段】味付き納豆１を、ビニール袋２に充填し、これを最中の下側の殻３に収め、更に最中の蓋で覆ったインスタンス納豆とする。味付きの納豆が、最中の殻の中のビニール袋に閉じ込められているので、粘々感が断ち切られ、更にこれを食する時には、殻からはみ出しているビニール袋のつまみ代を、引き抜くことにより、最中の殻の中には味付き納豆のみが残るので、これを最中の殻ごと食することができ、しずくが唇や箸とか茶碗に付着することなく、納豆を食べることができる。【選択図】図１
0003187052.tif 000002
【実用新案登録請求の範囲】
【請求項１】
納豆１をビニール袋２に充填し、これを最中の下側の殻３に収め、更に最中の上蓋４で覆ったインスタンス納豆。
【請求項２】
インスタント納豆最中を、数個まとめて透明なビニール袋（５）に入れて、真空パックにして、長期保存を可能にしたインスタンス納豆。
【考案の詳細な説明】
【技術分野】
【０００１】
この考案は、味付けした納豆をビニール袋に充填し、これを最中の殻で包み込みこんだ、インスタント納豆に関するものである。
【背景技術】
【０００２】
従来、納豆は粘々のまま、あるいはご飯にかける等して、食していた。
【先行技術文献】
【特許文献】
【０００３】
【特許文献１】実登３１４００４１
【考案の概要】
【考案が解決しようとする課題】
【０００４】
これは、次のような課題があった。
従来の納豆は、粘々の垂れしずくを、箸等で巻き切る様にして、味付けし、ご飯にかけて食していたが、しずくが唇や箸とか茶碗に付着して、納豆を食べにくくしていた。これを解消するために、最中の殻に直接納豆を包み込むことで、納豆のネバネバ感を防止することを試みたが、最中の殻が軟化して困ってしまった。本考案は、以上のような課題をなくすためになされたものである。
【課題を解決するための手段】
【０００５】
味付けした納豆１を、ビニール袋２に充填し、これを最中の下側の殻３に収め、更に最
中の上蓋４で包み込む。
すなわち、納豆１と最中の殻３の間にビニール袋２を介在させる構成としている。
本考案は、以上の構成よりなる、最中の殻に包み込んだ、インスタント納豆である。
【考案の効果】
【０００６】
味付きの納豆が、最中の殻の中のビニール袋に閉じ込められているので、粘々感が断ち切られ、更にこれを食する時には、殻からはみ出しているビニール袋のつまみ代を、引き抜くことにより最中の殻の中には、味付き納豆のみが残るので、これを最中の殻ごと食しても、なんら差しえない。                                                                                
【図面の簡単な説明】
【０００７】
【図１】最中の下側の殻に収まった断面図
【図２】最中の殻に蓋をした斜視図
【図３】真空パックにしたインスタンス納豆
【考案を実施するための形態】
【０００８】
以下、本考案を実施するための形態について説明する。
味付けをした納豆１を、ビニール袋２に充填する。ビニール袋の出口側は開放したまま丸めて、最中の下側の殻３に収めた後、最中の殻の上蓋４で密閉する。
尚ビニール袋には、引き出す時に指でつかむ為の、つまみ代をビニール袋２の底側に設けて、最中の殻の開放口の反対側にはみ出させておき、食する時にはこのつまみを引き抜くことで、最中の殻の中には、味付き納豆だけが残り、粘々感のない納豆最中が出来上がる。
本考案は、以上のような構成である。これを食するときは最中の殻ごと、ケーキ感覚で食しても良いし、ご飯の副食としてそのまま食しても良く。納豆の粘々感を気にすることなく、納豆の嫌いな人でも、従来の感覚では味わえない雰囲気で納豆の味を満喫することが出来る。
【符号の説明】
【０００９】
１  味付き納豆
２  内装ビニール袋     
３  最中の下側の殻                                                          
４  最中の上蓋
５  真空パック用バッグ
６  インスタント納豆最中      
【図１】
0003187052.tif 000003
【図２】
0003187052.tif 000004
【図３】
0003187052.tif 000005
(57)【要約】      （修正有）【課題】１月の使用可能金額の可視化と残金管理の容易化を可能とする週分けお金ポケットを提供する。【解決手段】本体シート１の中央部に２段３列に配置された６個の透明なポケット２，３，４を取り付ける。当該ポケット２，３，４に使用可能上限金額を挿入し、残金が視認可能な状態にする。【選択図】図１
0003187042.tif 000002
【実用新案登録請求の範囲】
【請求項１】
本体シート１の中央部に、２段３列に配置された６個の透明なポケットを有することを特徴とするポケット付シート。
【請求項２】
上記本体シート１の大きさが縦３５cm〜３９cm、横２８cm〜３２cmであることを特徴とする請求項１記載のポケット付シート。
【請求項３】
上記ポケットの大きさが縦１０cm〜１２cm、横９cm〜１１cmであることを特徴とする請求項１又は２記載のポケット付シート。
【請求項４】
上記本体シート１の大きさが縦３７cm、横３０cmであることを特徴とする請求項１〜３記載のポケット付シート。
【考案の詳細な説明】
【技術分野】
【０００１】
本考案は、使用可能な金額が視認できるポケット付シートに関するものである。
【背景技術】
【０００２】
従来から、使用上限金額を小分けの袋に入れて必要な分だけ使用するという節約方法が知られているが、袋の数が多くなるほど管理が困難となり、また残金が視認できないという欠点があった。
【考案の概要】
【考案が解決しようとする課題】
【０００３】
解決しようとする問題点は、使用可能金額の可視化と残金管理の容易化である。
【課題を解決するための手段】
【０００４】
本考案は、本体シートに透明のポケットを６個取り付けたことを特徴とする。
【考案の効果】
【０００５】
本考案のポケット付シートは、ポケットが透明であることから、使用可能金額の残金が視認でき、ポケットが並列して取り付けられていることから、残金管理が容易となる。
【０００６】
また、余剰金挿入ポケット３を設けることにより節約効果を視認することができるため、節約意欲を高める効果がある。
【図面の簡単な説明】
【０００７】
【図１】図１は本考案の週分けお金ポケットの実施方法を示した説明図である。（実施例１）
【考案を実施するための形態】
【０００８】
使用可能金額の可視化と残金管理の容易化という目的を、透明なポケットを取り付けることで実現した。
【実施例１】
【０００９】
図１は、本考案の１実施例の全体図である。
【００１０】
本体シート１は、布製又はビニル製であることが望ましく、ポケットは中身が視認できるほどに透明であることが望ましい。以下使用方法を説明する。
【００１１】
１月の使用上限金額のうち、医療費や月謝など使用用途があらかじめ明確となっている金額を用途限定金挿入ポケット４に挿入し、必要に応じて当該ポケットから取り出し使用する。
【００１２】
使用上限金額から用途限定金を差し引いた金額を４等分し、用途不明金挿入ポケット２に挿入する。
【００１３】
用途不明金挿入ポケット２に挿入した金額は、１月の、４分の１の期間毎に使用する。ポケットが透明であるため、常時残金が視認でき、不要な支出を防止できる。当該期間が経過後も余剰金がある場合には、余剰金を余剰金挿入ポケット３に挿入する。
【符号の説明】
【００１４】
１    本体シート
２    用途不明金挿入ポケット
３    余剰金挿入ポケット
４    用途限定金挿入ポケット
【図１】
0003187042.tif 000003
(57)【要約】      （修正有）【課題】ピーラーで根菜類などの皮むきをするとき、その上部に差し込んで固定し、これをまな板などの上で、つまみ部分だけを持つことで、指先や爪を気にすることなく、ピーラーを使って皮むきができるピン付きつまみを提供する。【解決手段】つまみ部１の一端にピン２を設ける。【選択図】図１
0003187283.tif 000002
【実用新案登録請求の範囲】
【請求項１】
つまみ部（１）の一端にピン（２）を設けたピン付きつまみ。
【考案の詳細な説明】
【技術分野】
【０００１】この考案は、つまみ部の一端に、差し込み用のピンを設けたピン付きつまみに関するものである。
【背景技術】
【０００２】従来、ピーラーを使って皮むきをするとき、一方の手で根菜類などを持ち、もう一方の手でピーラーを持っておこなうというものだった。
【考案の概要】
【考案が解決しようとする課題】
【０００３】これは、次のような欠点があった。
従来、ピーラーで皮むきをする場合、根菜類などを持った手の指先や爪にピーラーの刃があたらないよう気を付ける必要があった。
【課題を解決するための手段】
【０００４】つまみ部（１）の一端にピン（２）を設けた構成からなるピン付きのつまみにした。
【考案の効果】
【０００５】つまみのピンの部分を根菜類などの上部に差し込んで固定し、まな板の上などで、つまみ部分だけを持って回しながらピーラーを使うことで、指先や爪を気にすることなく、皮をむいていくことができる。
【考案を実施するための形態】
【０００６】以下、本考案の実施の形態について説明する。
つまみ部（１）の一端にピン（２）を設ける。本考案は、以上のような構造である。
これを根菜類などの上部に差し込んで固定することで、まな板の上などで、一方の手でつまみ部分だけを持って回しながら、もう一方の手でピーラーを使って、皮をむいていくのに使用する。
【図面の簡単な説明】
【０００７】
【図１】本考案の斜視図である。
【符号の説明】
【０００８】１  つまみ部
２  ピン
【図１】
0003187283.tif 000003
(57)【要約】      （修正有）【課題】美観にすぐれ個性的な親珠形状を持つ念珠を提供する。【解決手段】親珠２の全体形状を、花弁２１の先端が突起として構成される花状とする。突起は球状又は半球状で放射方向に複数設ける。花は、バラを模したもの、あるいは桜を模したものとする。【選択図】図１
0003187286.tif 000002
【実用新案登録請求の範囲】
【請求項１】
親珠の全体形状を、花弁先端が突起として構成される花状としたものであることを特徴とする念珠。
【請求項２】
親珠は、Ｔ字状の貫通孔を有し、房が設けられたものである請求項１記載の念珠。
【請求項３】
該突起は球状又は半球状放射方向に複数設けられたものである請求項１又は２記載の念珠。
【請求項４】
花は、バラを模したものである請求項１乃至３のいずれか１項に記載の念珠。
【請求項５】
花は、桜を模したものである請求項１乃至３のいずれか１項に記載の念珠。
【考案の詳細な説明】
【技術分野】
【０００１】  本考案は、念珠の構造に関する。
【背景技術】
【０００２】  念珠（数珠とも言われる）は「仏・菩薩を礼拝する時に手にかけ、或いはもみ、または念仏・念誦の回数を数えるためにつまぐる用具」（岩波書店「広辞苑」）である。
貫通孔を有する多数の小さな珠に糸を通して環状に構成されたもので、その中に親珠と呼ばれる大きな珠が配置されている。珠の数は１０８個のものが正式とされ、本連念珠、二輪念珠等と呼ばれる。しかし現在では持ちやすくするために珠の数を減らした略式のものがよく用いられており、それらでは通常は１８〜４３個程度の珠となっている。
また念珠には「房」が付いたものが多いがその場合には、親珠にＴ字状の貫通孔を刻設しておき、この貫通孔から房を垂らす。
親珠の数は一つないし二つであるものが一般的である。またこれに合わせ房の数も一つないし二つのものが多い。【０００３】  念珠は本来、純粋に葬祭用具ではあるものの、天然石その他の高価な素材を用いることも多いし、葬祭用具としてではなく、ブレスレット（そのような念珠は「数珠ブレスレット」などと呼ばれている）として日常的に装用する例も多々あり、そうした場合には装飾性の高いものが好まれている。
【先行技術文献】
【特許文献】
【０００４】
【特許文献１】  特開２００４−２０９０２３
【考案の概要】
【考案が解決しようとする課題】
【０００５】  そうしたことから、高価な天然石を用いることで装飾性を得た念珠はしばしば見かけるようになってきているが、珠、特に親珠の形状に関してはいずれも球形であり、個性的なものを見かけることがない。
【課題を解決するための手段】
【０００６】  そこで本考案者は、この点に鑑み鋭意研究の結果遂に本考案を成した。即ち、念珠の親珠の全体形状を、花弁先端が突起として構成される花状としたものである。【０００７】  ここでいう「花」の種類については特に限定しないが、花弁先端が突起として構成されるものである。また、写実的な形状には限らず、抽象的な形状の花、或いは実在しない花であっても「花状」の概念に含む。本考案者が種々試作したところでは、多数の花弁を放射状に備えた、例えばバラ、桜、ハス、キク、アジサイ、等が好ましいものであった。なお、アジサイに代表される「ガク」を花弁のように観賞するものも「花状」の概念に含むものとする。
このうち特にバラと桜は、美観上特に好ましい。【０００８】  また、念珠本来の機能から言って、念珠を構成する珠の一つ一つをつまぐってゆく動作（作業）は、通常のブレスレットよりも格段に多いと思われるのでこの突起は、鋭利な先端を持つものは危険であり不適当である。但し、突起の存在が触覚によって確認できることが必要であるので、球体に印刷を施し花状としたものは本考案に含まれない。【０００９】  親珠の材質に関しては何ら限定しない。従来の念珠においても、親珠の素材として種々のものが採用されている。基本的には「木製」「石製」の２種に分けられ、木製材料としては、黒檀、紫檀、鉄刀木、白檀、つげ、梅、菩提樹、等々があり、石製材料としては、水晶、メノウ、翡翠、オニキス、等々がある。これ以外にも、琥珀、珊瑚、プラスチックなどが採用されることもある。本考案においては、突起のある花状に成形できるのであればどれを採用しても良いものとする。【００１０】  本考案に係る念珠の親珠は、前記突起を球状又は半球状放射方向に複数設けることもでき、親珠に複数の花が現れるような外観とすることもできる。
【考案の効果】
【００１１】  本考案に係る念珠は、以下述べる如き効果を有する極めて有用な考案である。
（１）  個性的な形状としやすい。
（２）  ブレスレットとして使用しやすい。
（３）  女性や若年層に気軽に使用してもらいやすい。
（４）  球体である小珠の中にあって、親珠のみが球体ではなくその表面には突起を備えているので、視認しなくとも触感で親珠を認識できるため、念仏・念誦の回数を数えるためにつまぐる際の目安としやすい。
【図面の簡単な説明】
【００１２】
【図１】  本考案に係る念珠の一例を示す概略斜視図である。
【図２】  （ａ）乃至（ｃ）は、本考案に係る念珠の親珠部分の他の例を示すいずれも概略斜視図である。
【考案を実施するための形態】
【実施例１】
【００１３】  図１は、本考案に係る念珠１（以下「本考案念珠１」という）の一例を示す概略斜視図である。図より明らかなように本例の本考案念珠１は、一連式の念珠であって親珠２の形状以外に関しては従来の念珠と何ら異なるところはない。従って、図示は省略するが、例えば二連式のものであっても良い。なお、本例の本考案念珠１を構成する珠の材質は、親珠２、子珠３共アクリル樹脂製であるが、これ以外の材質のものを採用しても良い。【００１４】  親珠２は、Ｔ字状の貫通孔を有している点、その中の一つの孔から房４が垂れている点等に関しては従来と同様である。ただ、親珠２の全体形状が球ではなく、バラの花の形状を模したものである点で大きく異なる。【００１５】  親珠２表面には、バラを模した花弁２１が立体的に構成されており、その結果表面には多数の突起が形成されている。個々の突起は先端が丸くなっているが、触れれば球面でないことが直ちに認識できる程度以上のゴツゴツ感はある。本例では材質として既述の通りアクリル樹脂製であって一体成形品であるが、天然石製や木製等の場合は通常、一品ずつ彫刻してゆくことになる。【００１６】  次に図２は、親珠２の形状についての例を示すものである。同図（ａ）は写実的なハスの花、同図（ｂ）は抽象的な桜の花、同図（ｃ）は架空の花、の形状である。いずれも多数の花弁２１があって突起を備えている。
【符号の説明】
【００１７】１    本考案に係る念珠
２    親珠
２１  花弁
３    子珠
４    房
【図１】
0003187286.tif 000003
【図２】
0003187286.tif 000004
(57)【要約】      （修正有）【課題】熱源にとらわれず肉厚の薄い鍋で気泡微細化沸騰を発現させる薄板鍋を提供する。【解決手段】鍋底表面に、溶射により肉盛り４と凹凸処理５を同時に施し、鍋底の温度と水温に温度差を作り、サブクール沸騰を可能とする。洗浄を容易くするために凸部６を研磨してもよい。【選択図】図２
0003187288.tif 000002
【実用新案登録請求の範囲】
【請求項１】
板厚の薄い鍋底内面に溶射処理を施し肉盛りをすると同時に、鍋底の表面に微細な凹凸を形成することで、鍋底の水温に変化を持たせ、サブクール沸騰を発現させ気泡微細化沸騰を可能とすること、を特徴とする気泡微細化沸騰用薄板鍋。
【請求項２】
請求項１の処理を施した後、凹面は残しつつ凸の突起部を研磨し、洗浄時に引っ掛かりを無くす処理を施したこと、を特徴とする請求項１記載の気泡微細化沸騰用薄板鍋。
【考案の詳細な説明】
【技術分野】
【０００１】本考案は、鍋底の肉厚が薄いステンレス鍋やチタン鍋等に於いて、熱源をガスや電気にとらわれず気泡微細化沸騰が可能な、気泡微細化沸騰用薄板鍋に関するものである。
【背景技術】
【０００２】従来の鍋で気泡微細化沸騰を発現するものはあるが、鍋底をブラスト処理や溝加工を施し、温度差を付けサブクール沸騰を発現さすもので、鍋底が薄いステンレス製やチタン製の鍋等では加工が出来無いため実用的な気泡微細化沸騰を発現さすことはできず、薄板製では気泡微細化沸騰が可能な鍋の実用化は出来なかった。
【先行技術文献】
【特許文献】
【０００３】
【特許文献１】登録実用新案第３１８４０７号
【考案の開示】
【考案が解決しようとする課題】
【０００４】そこで、鍋底に溶射処理を施し薄板に肉盛りし、溶射処理の特性である気孔を利用し、凸凹を形成することで、サブクール沸騰を発現させ気泡微細化沸騰を行えるように、鍋底に溶射による肉盛り加工を施し気孔の凹凸を利用した、板厚の薄い鍋用の気泡微細化沸騰用薄板鍋、を本考案により創案された。【０００５】本考案は、以下の（ａ）（ｂ）を目的とする。
（ａ）  鍋底に溶射処理を施し、鍋底の表面に微細な凹凸を形成することで、鍋底の水温に変化を持たせサブクール沸騰を発現させ気泡微細化沸騰を可能とする鍋を提供すること、を目的とする。
（ｂ）  溶射処理後、凹部は残しつつ凸部の先端の突起を研磨することで、洗浄する際の引っ掛かりを無くす処理した、気泡微細化沸騰を可能とする鍋を提供すること、を目的とする。
【課題を解決する為の手段】
【０００６】上記課題を解決する為には、薄板鍋の鍋底に溶射で肉盛りをし、同時に気孔による微細な凹凸を形成さすことで、加熱時に凹部の表面温度と凸部の表面温度に若干の温度差を付けることができることから、加熱により水分子が気化する際に温度差ができ、サブクール沸騰が発現し気泡微細化沸騰を可能とすること、を特徴とする。
【考案の効果】
【０００７】請求項１に関わる考案は、鍋底に溶射処理することで薄板を肉盛りし、鍋底の表面が凹凸状の梨地となり、加熱時に鍋底の凹凸部で若干の温度差ができ、水の分子が気化する際に温度差によるサブクール沸騰が発現し、気泡微細化沸騰用薄板鍋を可能としたこと、を特徴とする。
【０００８】請求項２に関する考案は、鍋を洗浄する際に凸部の先端が引っ掛かりスムーズな洗浄ができ難いため、溶射処理を施した後に凸部の先端を研磨し、洗浄し易い加工を施した気泡微細化沸騰用薄板鍋を可能とすること、を特徴とする。
【考案を実施するための最良の形態】溶射処理により鍋底を肉盛りし同時に凹凸を形成さすと同時に、凹部を残したまま凸部の先端を研磨し洗浄を容易くした加工を施し、凹凸で出来る若干の温度差で、気化した水蒸気が気泡として上昇する際に、鍋底と加温される水の温度差が生まれ、サブクール沸騰が効率的に発現し気泡微細化沸騰を安定的に提供する事を可能とした。
【実施例１】
【０００９】この考案の実施例を図１、図２、図３に示す。図１の溶射処理を施した薄板鍋の実施形態図について述べる。【００１０】図１は、薄板鍋１の底部は溶射処理により薄板鍋基材２に肉盛りと凹凸加工３が施され、鍋底表面は微細な突起と凹凸が形成されている。【００１１】肉盛りと凹凸加工３で形成されていることから、薄板鍋１に於いても凸凹処理が可能で、凸凹形状が基材の温度差を生み、サブクール沸騰を発現させ気泡微細化沸騰を可能とする。【００１２】図２は、溶射直後の鍋底表面は、溶射により出来た肉盛り部４と、気孔で出来た凹凸部５で形成され、凸の先端６は尖っている。【００１３】図３は、凸の先端６は研磨により削られて先端のみが平滑化され、洗浄の時に研磨後の凹凸部７が、スポンジ等がひっかかからないように工夫されている。
【図面の簡単な説明】
【００１４】
【図１】溶射処理で肉盛りと凹凸加工を施した、気泡微細化沸騰用薄板鍋の実施形態図
【図２】溶射処理直後の薄板鍋の断面図
【図３】研磨後の薄板鍋の断面図
【符号の説明】
【００１５】１  薄板鍋
２  薄板鍋基材（ステンレス、チタン製等）
３  肉盛りと凹凸加工
４  溶射による肉盛り部
５  気孔で出来た凹凸部
６  凸部先端
７  研磨後の凹凸部
【図１】
0003187288.tif 000003
【図２】
0003187288.tif 000004
【図３】
0003187288.tif 000005
(57)【要約】      （修正有）【課題】切糸を使用して陶芸作品を轆轤や亀板から切り離すとき、切糸を持ち直さなくても簡単によれを解消できる切糸ツールを提供する。【解決手段】一定の長さの切糸１と、前記切糸の一の端部又は両端部に係着した少なくとも一のスイベル２と、可能であれば前記少なくとも一のスイベル２に掛合する少なくとも一の支持具３（リング等）と、を備える。スイベル２の接続点は自由に回転しながら摺接しているため、糸がよれても、両手を広げて糸を張るだけで、よれが解消する。糸１、スイベル２及び支持具３は、金属製、木製、布製、綿製、合成樹脂製、陶製、セラミック製、ガラス製又はこれらのいずれかを混合した材料を使用する。【選択図】図１
0003187229.tif 000002
【実用新案登録請求の範囲】
【請求項１】
切糸と、前記切糸の一の端部又は両端部に係着した少なくとも一のスイベルと、を備える陶芸用の切糸ツール。
【請求項２】
前記少なくとも一のスイベルに掛合し、前記スイベルを支持するための、少なくとも一の支持具を具備することを特徴とする請求項１記載の切糸ツール。
【請求項３】
前記切糸は、金属製、布製、綿製、合成樹脂製、陶製、セラミック製、ガラス製又はこれらのいずれかを混合した材料からなることを特徴とする請求項１又は請求項２記載の切糸ツール。
【請求項４】
前記少なくとも一のスイベル又は前記少なくとも一の支持具は、金属製、木製、布製、綿製、合成樹脂製、陶製、セラミック製、ガラス製又はこれらのいずれかを混合した材料からなることを特徴とする請求項１乃至請求項３のいずれかに記載の切糸ツール。
【考案の詳細な説明】
【技術分野】
【０００１】
本考案は、陶芸作品を轆轤のターンテーブルや亀板から切り離すための切糸ツールに関する。
【背景技術】
【０００２】
陶芸において、出来上がった作品をターンテーブルや亀板の粘土塊から切り離すには、「糸」を使用する。この糸を「切糸」という。
【０００３】
切糸には、ピアノ線、ステンレスワイヤー、テグスなどの素材が使用される。使い方は、轆轤をゆっくりと回転させ、両手で直接切り糸の端を持って作品の根元に切り糸を巻きつけて粘土を切る。
【考案の概要】
【考案が解決しようとする課題】
【０００４】
前述のとおり、切糸は通常、両手で直接、端を持って使用するが、よれてしまうことが多い。これを直すのに、何度も端を持ち直さねばならず、面倒である。
【０００５】
上述の問題に鑑み、本考案は、作品切離しの作業中、切糸を持ち直さなくても簡単によれを解消できる切糸ツールを提供することを課題とする。
【課題を解決するための手段】
【０００６】
上記課題を解決するため、本考案に係る切糸ツールは、一定の長さの切糸と、前記切糸の一の端部又は両端部に係着した少なくとも一のスイベルとを備える。      スイベルとは、２つの接続点を持って互いに自由に回転できるようにした接続部品である。また、可能であれば、前記スイベルを手で支持しやすくするために、スイベルに掛合させて使用する、少なくとも一の支持具をも具備する。前記少なくとも一の支持具は、指を通すことができるリング等が望ましい。
【０００７】
作業者は、糸を直接持つかわりに、前記スイベルを、また支持具がある場合は、前記リング等の支持具を手で持ってツールを支持し、糸を緩めたり張ったりして作品を亀板等から切断する。各スイベルの接続点は自由に回転しながら摺接しているため、糸がよれても、両手を広げて糸を張るだけで、よれが解消する。
【考案の効果】
【０００８】
本切糸ツールの使用により、作品切離しの作業中、糸のよれを解消するために切糸を持ち直さなくてよいため、作業の効率が上がる。
【０００９】
単純な構造であるため、大きな費用をかけず、簡単に作成することが出る。
【図面の簡単な説明】
【００１０】
【図１】本実施形態の切糸ツールの全体を示す斜視図である。
【図２】本実施形態の切糸ツールの一の端部近傍の拡大斜視図である。
【考案を実施するための形態】
【００１１】
以下、本考案の実施形態の１例を図面を参照して説明する。
【００１２】
本実施形態の切糸ツールは、切糸１としてステンレス製のワイヤーを使用し、図１に示すように、該ワイヤーの両端に金属製のスイベル２を係着する。また、各スイベル２には支持具として、同じく金属製のリング３を掛合したものとする。
【００１３】
図２は本切糸ツールの構成の詳細を示すために一の端部近傍を拡大したものである。スイベル２は、アクセサリーなどに使用する長さ１０ｍｍ程度のものとし、スイベル２の一の環部に挿通させたワイヤーの端部は、ペンチ等で潰せる可塑性のミニロック４でまとめる。
【００１４】
本実施例においては、スイベル２の他の環部に、支持具として、キーホルダー等に使用する金属製のリング３を掛合させる。リング３は、スイベル２の環部が大きく支持具なしで扱える場合は必要ないが、指を通して操作できるリング３を使用すれば、ツールの端部をつかみ損ねて落とす心配がなく、また、手を広げて切糸を張ったときのスイベル２の接続点の回転も円滑となる。
【符号の説明】
【００１５】
１      切糸
２      スイベル
３      支持具（リング）
４      ミニロック
【図１】
0003187229.tif 000003
【図２】
0003187229.tif 000004
(57)【要約】      （修正有）【課題】被服を傷つけず、かつ短時間で着脱できるバッジ等の装身具を提供する。【解決手段】装身具１００は、装飾部本体１０１と取付部本体１０２から構成されている。装飾部本体１０１は、装飾部１と装飾部の背面に設けられた固定部２と、固定部の内部に設けられた磁石Ｍからなる。取付部本体１０２は、装飾部本体１０１を固定するための取付部３と、取付部の前面に設けられた磁石Ｍからなる。装身具を被服などに装着する際は、装飾部本体１０１を装着したい所へ持っていく。その後、取付部本体１０２を、装飾部本体１０１の背面へ持っていき、磁石Ｍが互いに引き合う場所を確認しながら装着する。【選択図】図１
0003187202.tif 000002
【実用新案登録請求の範囲】
【請求項１】
装飾部本体と前記装飾部本体を固定する取付部本体とから構成される装身具であって、前記取付部本体は、取付部と、前記取付部の前面に設けられ、前記装飾部本体を、被服を挟んで固定する磁石とを備えたことを特徴とする装身具。
【請求項２】
前記装飾部本体は、装飾部と、前記装飾部の背面に設けられた固定部と、前記固定部の内部に、前記取付部本体の前面に設けられた磁石と引き合わせるように設けられた磁石とを備えたことを特徴とする請求項１に記載の装身具。
【考案の詳細な説明】
【技術分野】
【０００１】
本考案は、衣服等に孔を開けることなく、装着できる装身具に関するものである。
【背景技術】
【０００２】
装身具を被服などに装着する際、被服に孔を開けないよう装着できる装身具について、以下の発明が存在する。
【０００３】
この特許文献１に係る発明は、ボタン本体と、ボタン本体から延設して袖口の通口に挿通される通棒と、通棒の端部に起倒できる保持具とを有するものであって、通棒を通口に挿通してボタンを袖口に取り付け、ストッパーの挿通孔より通棒に挿通されたストッパーを通棒に装着するものである。
【先行技術文献】
【特許文献】
【０００４】
【特許文献１】特開平９−１００１５号公報
【考案の概要】
【考案が解決しようとする課題】
【０００５】
しかしながら、上記特許文献１に係る発明は、被服などに何度も装着した際、被服を傷つけてしまうという問題があった。またストッパーの挿通孔が小さいため、着脱に時間がかかるという問題も生じていた。
【０００６】
本考案はこのような問題点に鑑み、被服を傷つけず、かつ着脱を短時間で行えることを目的とするものである
【課題を解決するための手段】
【０００７】
上記のような問題点を解決するため、第１の考案は、装飾部本体と前記装飾部本体を固定する取付部本体とから構成される装身具であって、前記取付部本体は、取付部と、前記取付部の前面に設けられ、前記装飾部本体を、被服を挟んで固定する磁石とを備えたことを特徴とする装身具である。
【０００８】
また、第２の考案は、前記装飾部本体は、装飾部と、前記装飾部の背面に設けられた固定部と、前記固定部の内部に、前記取付部本体の前面に設けられた磁石と引き合わせるように設けられた磁石とを備えたことを特徴とする請求項１に記載の装身具である。
【図面の簡単な説明】
【０００９】
【図１】この考案の実施の形態にかかる装身具の側面図である。
【図２】図１の装身具を被服に装着した際の説明図である。
【図３】図１の装身具の変形例を示した図である。
【考案を実施するための形態】
【００１０】
以下これらの考案につき、図面を参照しつつ詳細に実施の形態を説明する。なおこの実施の形態によりこれらの考案が限定されるものではない。
【００１１】
図１は、この考案の実施の形態にかかる装身具の側面図である。本装身具１００は装飾部本体１０１と取付部本体１０２から構成される。装飾部本体１０１は、装飾部１と、装飾部１の背面に設けられた固定部２と、固定部２の内部に設けられた磁石Ｍとを備えている。取付部本体１０２は、取付部３と、取付部３の前面に設けられた磁石Ｍとを備えている。
【００１２】
磁石Ｍは、固定部２と取付部３の側面から見たときに、各部の上辺と平行となるように配置されている。また、磁石Ｍの形状は、被服や人体に装身具１００を装着した際に、外部から直接磁石Ｍが見えることのないよう、取付部３の側面から見たときに磁石があまりはみ出さず、かつ装飾部１よりも小さい形状とすることが望ましい。
【００１３】
装身具１００は、図１に表したラペルピンだけでなく、ブローチ、バッジ、ネクタイピン、ペンダント、ピアスなども含まれる。また装身具の素材は、被服や人体に装着できるものであれば、金属の他、プラスチック、ゴム、石、合成樹脂、紙などを素材としてもよい。磁石Ｍは、被服や人体から装身具１００が落下するのを防ぐため、強力な吸着力を有する素材を用いたものであることが望ましい。
また、装飾部本体１０１と取付部本体１０２の形状は、被服や人体に装着できれば、どのようなものでもよい。
【００１４】
図２は、図１の装身具を被服に装着した際の説明図である。以下、本装身具の使用方法を説明する。
【００１５】
装飾部１の正面が外側から見えるように、装飾部本体１０１を装飾したい任意の位置に持っていく。その後、取付部本体１０２を、被服を挟むようにして装飾部本体１０１の背面近くに持っていき、固定部２の内部に設けられた磁石Ｍと、取付部３の前面に設けられた磁石Ｍが引き合う場所を確認しながら、装飾部本体１０１を固定し、装身具１００を装着する。装飾部１のデザインを別のものに変更したい場合は、取付部本体１０２を持ちながら、装飾部本体１０１を取り外し、再度上記のように装着する。
【００１６】
以上により、本装身具は磁力で装着でき、かつ装着時に、被服を傷つけることなく使用できる。また、磁石が引き合う場所のみを確認しながらワンタッチで装着できるため、短時間で装身具を装着できる。
【００１７】
図３は、図１の装身具の変形例を示した図である。図１の装飾部本体１０１と比較して、装飾部１の背面に設けられた固定部２と、固定部２の内部に設けられた磁石Ｍがない部分が相違する。これにより、装飾部本体１０１を装着したい場所へ持っていく際に、被服の損傷をより防ぐ効果を有する。
【符号の説明】
【００１８】
１００  装身具
１０１  装飾部本体
１      装飾部
２      固定部
１０２  取付部本体
３      取付部
Ｍ      磁石
【図１】
0003187202.tif 000003
【図２】
0003187202.tif 000004
【図３】
0003187202.tif 000005
(57)【要約】      （修正有）【課題】各種表彰における記念メダルや記念コインを複数枚収納し、メダルの表面及び裏面をフレームから取り出すことなく視認することができ、かつ、インテリアとして使用できるメダル収納パネルを提供する。【解決手段】メダルを複数枚収納できるよう、ベニヤ板や、不透明なアクリル等を用いた板を、メダルの形状に切抜き、切り抜いたボード２を、透明な板１，３で両面から挟み込む構造とすることで、メダルの両面をケースから取り出すことなく視認できることを最大の特徴とし、かつ埃や腐食を防ぐ効果およびインテリアとしての使用にも耐えうることを特徴とした。【選択図】図２
0003187280.tif 000002
【実用新案登録請求の範囲】
【請求項１】
メダルを複数枚収納できるよう、ベニヤ板や、不透明なアクリル等を用いた板を、メダルの形状に切抜き、切り抜いたボードを、透明な板（アクリルやガラス等）で両面から挟み込む構造とすることで、メダルの両面をケースから取り出すことなく視認できることを最大の特徴とし、かつ埃や腐食を防ぐ効果およびインテリアとしての使用にも耐えうることを特徴としたメダル収納パネル。
【考案の詳細な説明】
【技術分野】
【０００１】
本考案は、スポーツや芸術・音楽等を行っている者が、試合および大会で受賞した表彰メダル等を複数枚収納して机上等に立て、あるいは壁に吊り下げ展示できるようにした、インテリアとしても商品価値の高いメダル収納スタンドに関するものである。
【背景技術】
【０００２】
この種のスタンドにあっては、フォトスタンド、フォトフレームや記念賞状を収納する楯等がある。また、メダルに関しては、１つの記念メダルを飾るスタンドや、ケース及び額等があり、また、複数枚を収納可能なスタンド等も考案されている。
【０００３】
しかしながら、従来のスタンドは、1つの賞・メダルを収納するものや、複数枚収納できるものでも箱型の物で、主として前面からのみ視認できる形状となっている。表彰メダルは、表面と裏面があり、受賞記録は裏面に記載されているため、収納額のメダルの下に、受賞歴を記述したラベルを表示する構造となっている（特許文献参照）。
【０００４】
そこで、本考案では、前面からのみの視認ではなく、裏面からも表彰メダルを視認でき構造とし、メダルのオブジェおよびインテリア性を強調し展示できるパネルを提案する。また、表彰メダルを密閉することで、埃や変色・腐食の防止効果を持つメダル収納パネルを提案する。
【先行技術文献】
【特許文献】
【０００５】
【特許文献１】米国公開特許和文抄録  米抄２００２／１４５３６５号
【特許文献２】米国公開特許和文抄録  米抄２０１０／８４２８９号
【考案の概要】
【考案が解決しようとする課題】
【０００６】
解決しようとする問題点は、メダルの表面及び裏面をケースから取り出すことなく見ることができること、メダル収納パネルを縦に保持した場合、メダルが動かないよう保持すること、及び、メダル収納部は、密閉構造とし、埃やメダルの腐食・変色が生じないような構造とする。
【課題を解決するための手段】
【０００７】
メダルを保持するために、不透明、または半透明でメダルの厚さ以上の板をメダルと同形状に切抜き、両面から視認できるよう表面及び裏面から透明な板で挟みこむ。３種類の板を隙間なく固定するために化粧ネジ等で固定する。
【考案の効果】
【０００８】
本考案のパネルでは、表彰メダルをフレームから取り出さずに、表面と裏面の表彰履歴を視認でき、また、メダルを密閉された空間に収納できるため、埃やメダルの腐食を防ぐという利点がある。
また、本体形状及びメダル形状の作成においては、CADとレーザー加工機を用いることで、メダルの形状と同じ空間を作成でき、本体形状においても、四角だけでなく丸型や多角形などユーザーが希望する形状を作成でき、よりインテリア性に富んだ効果を有することが可能となる。
【図面の簡単な説明】
【０００９】
【図１】図１はメダル収納ケース本体の斜視図である。
【図２】図２はメダル収納ケースの分解斜視図である。
【図３】図３はメダル収納ケース用スタンドの斜視図である。
【図４】図４はメダル収納ケース及びスダンドの完成斜視図である。
【考案を実施するための形態】
【００１０】
以下、図面に基づき、本考案を実施するための形態を具体的に説明する。
（イ）メダル保持板（２）を設計する。これは、メダルのサイズおよび厚さによって各種さまざまな形状があるため、その形状に合わせた図面をCADで作成し、そのデータをもとに、メダル保持部分を切り抜く。保持板の厚さ調整は、保持板を1枚で作成するのではなく、たとえば、３ｍｍの板を２枚や３枚重ねる構造としてもよい。
（ロ）前面ボード（１）および背面ボード（３）を制作する。これは、メダル保持ボード（３）の外形に合わせた形で制作する。
（ハ）化粧ビスで（１）、（２）、（３）を挟持する。
（ニ）メダル収納パネルを縦に保持するため、組立式のスタンド（６）を制作する。
本発明の説明において、メダル保持ボー（２）、及び前面ボード（１）、背面ボード（３）の形状は、一例を示すものであり、矩形のみでなく円形やひし形等、その他多種のデザインが使われることは当然である。
また、本発明では、メダル保持板（２）は無地としているが、レーザー加工機による表題や、絵、ロゴなどを彫刻し、よりインテリア性を強調することも可能である。
【産業上の利用可能性】
【００１１】
本メダル収納パネルは、複数枚のメダルを収納し、スタンドを用いて立てかける、また、つりさげ部品を使用することで、壁にもかけられる等、過去にスポーツ等で受賞した自分史や、記念コインなどのコレクターにとって、インテリアとして展示することが可能である。
【符号の説明】
【００１２】
（１）  前面ボード（透明板：厚さ２ｍｍ程度）
（２）  メダル保持ボード（厚さ：メダルの最大厚さ、不透明又は半透明）
（３）  背面ボード（透明板：厚さ２ｍｍ程度）
（４）  フレーム挟持用化粧ナット
（５）  フレーム挟持用化粧ビス
（６）  メダル収納パネル  保持スタン
【図１】
0003187280.tif 000003
【図２】
0003187280.tif 000004
【図３】
0003187280.tif 000005
【図４】
0003187280.tif 000006
(57)【要約】      （修正有）【課題】ハーフタイプのヘルメットにつける庇において、前面部だけの庇でありながら、ヘルメットの帽体に穴をあけたり帽体と緩衝材との間に隙間がなくとも、内装を利用して着脱することのできる、シート材を使用したヘルメット庇の取り付け構造を提供する。【解決手段】シート材から形成された前面だけの庇部２を有し、庇部２後ろから伸びた紐状のもの４を庇部２上面に着脱可能にするボタン部５を取り付け、紐状のもの４を２本以上でヘルメットの内装と帽体の間へ通し庇部２前面に装着する。このようにすることで、ヘルメット内装の強度を利用しヘルメット前面に庇部２を装着することができる。【選択図】図１
0003187273.tif 000002
【実用新案登録請求の範囲】
【請求項１】
ハーフタイプのヘルメットにつける庇において、シート材から形成された前面だけの庇部を有し、ヘルメットの外殻に穴をあけたりしなくても、庇部背面から伸びた紐状の突起部を庇部上面に着脱可能にするボタン状のものを配置する事で、ヘルメットの内装に庇部を装着することができるヘルメット庇の取り付け構造。
【請求項２】
請求項１記載のヘルメット庇において庇部背面から出た紐状の突起部先端と庇部上面を接着するためボタン状のものが配置されているが、その庇部上面のボタン状のものの位置を外側に配置することで庇部分が上に上がり、視界を調節できる事を特徴とする請求項１に記載のヘルメット庇の取り付け構造。
【考案の詳細な説明】
【技術分野】
【０００１】
本発明はヘルメット用庇に関するものである
【背景技術】
【０００２】
ヘルメット用庇はヘルメットに付随して、日差しや風を遮りながら視界を邪魔しないことが求められる。ヘルメット庇においてはヘルメット庇一体型や、ヘルメットの上からかぶせるドーナツ型、外殻に穴を空けて前方へ装着するボタン式型、外殻と帽体の間に庇を差し込む型があるが、他のヘルメットに容易に応用できず、ヘルメットの帽体の外形に依存していて、内装を利用したもので庇状にしたものはなかった。また内装を利用した日よけとして、後部日よけがあるが、庇として前方に取り付ける構造としては不十分である。
【先行技術文献】
【特許文献】
【０００３】
【特許文献１】登録実用新案第３０６８７９２号公報
【０００４】
【特許文献２】登録実用新案第３０６２７３５号公報
【０００５】
【特許文献３】登録実用新案第３１５４７５３号公報
【考案の概要】
【考案が解決しようとする課題】
【０００６】
ハーフタイプのヘルメットに用庇において、前面部だけの庇でありながら、ヘルメットの帽体に穴をあけたり帽体と緩衝材との間に隙間がなくとも、内装と帽体の隙間を利用して着脱することの できる、シート材を使用したヘルメット庇の取り付け構造。
【課題を解決するための手段】
【０００７】
本考案のヘルメット庇は、シート材から形成した庇部の背面から紐状のものを突出させ、前記の紐状のものと前記の庇部上面を接着するボタン状のものを配置している事を特徴とする。前記の紐状のものは庇部から2本以上突出し、ヘルメットの額部分の内装と帽体の隙間を通り前記の庇部上面にとりつける構造により本体部を支えている。
【考案の効果】
【０００８】
本考案のヘルメット庇は、外殻に依存して着ける庇ではなく、ヘルメット内装を利用し取り付けることができるため、今まで付けることがで きなかったヘルメットにも着けることができるようになった。
【図面の簡単な説明】
【０００９】
【図１】本考案の一実施形態のヘルメット用庇を示した斜視図である。
【図２】本考案の一実施形態のヘルメット用庇を示した正面図である。
【図３】図1のヘルメット用日庇を自転車用ヘルメットに装着した状態をヘルメットの内側から見た実施例である。
【図４】図1のヘルメット用日庇を自転車用ヘルメットに装着し外側横からから見た実施例である。
【図５】図1のヘルメット用日庇を自転車用ヘルメットに装着し外側正面から見た実施例である。
【図６】従来の自転車用ヘルメットの内面図を示した一例である
【考案を実施するための形態】
【００１０】
以下本考案の図１の図面に基づいて説明する。本考案のヘルメット用庇は図1 に示すように本体部２、３の背面から出る紐状もの4が本体部前面にボタン状のもの５でとりつけるようにして作ることができる。また図２にあるように３のベルト部分はなくても成立する。また３のベルト部分をヘルメットの内部構造の額部分と帽体の間に挟んだり、ヘルメットの内部構造の内側に置くことも できる。
【実施例１】
【００１１】
図３は本考案の一実施形態である。本考案のヘルメット用庇はヘルメットの内部構造の額部分と帽体の隙間である図６の８を通って庇部２の前面に着脱可能なボタン状のもの5で留めることができる。
【００１２】
シート材の材料としてナイロン、ポリエステル、ポリウレタン、プラスチック、レーヨン、綿、麻、本革、合皮、紙などが挙げることができる。
ボタン状のものは、ボタン、スナップボタン、金具など が挙げることができる。
【００１３】
上記実施形態の構成態様は、本考案を限定するものとして挙げたものではなく、技術目的を共通にする限り変更は可能であり、本考案はそのような変更を含むものである。
【符号の説明】
【００１４】
１ヘルメット用庇  
２庇部
３ベルト部  
４紐材  
５ボタン部
６ヘルメット帽体
７ヘルメット内部構造
８ヘルメット帽体と内部構造の間の空間
【図１】
0003187273.tif 000003
【図２】
0003187273.tif 000004
【図３】
0003187273.tif 000005
【図４】
0003187273.tif 000006
【図５】
0003187273.tif 000007
【図６】
0003187273.tif 000008
【手続補正書】
【提出日】平成25年9月7日(2013.9.7)
【手続補正１】
【補正対象書類名】実用新案登録請求の範囲
【補正対象項目名】全文
【補正方法】変更
【補正の内容】
【実用新案登録請求の範囲】
【請求項１】
ハーフタイプのヘルメットにつける庇において、シート材から形成された前面だけの庇部を有し、ヘルメットの外殻に穴をあけたりしなくても、庇部背面から伸びた紐状の突起部を庇部上面に着脱可能にするボタンを配置する事で、ヘルメットの内装に庇部を装着することができるヘルメット庇の取り付け構造。
(57)【要約】      （修正有）【課題】両面テープを簡易に剥離できる、両面テープと付箋のセットを提供する。【解決手段】両面テープ３本体に本体を周回できる台紙２を設けて台紙２の上面に付箋１の粘着面を上面となるよう台紙２に貼り付け、テープ粘着面と付箋粘着面を貼り合わせ剥がれにくくなった双方の粘着力を利用し付箋１一枚を剥がして両面テープ３を剥離するところを特徴とする。【選択図】図２
0003187925.tif 000002
【実用新案登録請求の範囲】
【請求項１】
両面テープ本体に本体を周回できる台紙を設けて台紙の上面に付箋の粘着面を上面となるよう台紙に貼り付け、テープ粘着面と付箋粘着面を貼り合わせ剥がれにくくなった双方の粘着力を利用し付箋一枚を剥がして両面テープを剥離するところを特徴とする両面テープと付箋のセット。
【請求項２】
カバーケース付きの両面テープにはカバーケースサイドに付箋を貼り付け、上記と同様になる効果を特徴とするカバーケース用両面テープと付箋のセット。
【考案の詳細な説明】
【技術分野】
【０００１】  本考案は、両面テープの粘着面と付箋の粘着面を利用して両面テープを剥離することに関するもの。
【背景技術】
【０００２】  従来両面テープの多くはつま先やペン先で剥離していたため時間を要していた。
【考案の概要】
【考案が解決しようとする課題】
【０００３】  従来の剥離方法では作業負担が多く時間のロスがあった。従って、両面テープの粘着面と付箋の粘着面を一体化することにより、簡易に両面テープを剥離できるものとして前述の欠点を解決しようとするもの。
【課題を解決するための手段】
【０００４】  本考案は両面テープに両面テープ円周上を周回できる台紙と台紙の上面に付箋の粘着面を上にして台紙に貼り付けたものを両面テープに設け、付箋の粘着面と両面テープの粘着面を貼り合わせ双方の粘着力を利用して剥離することで問題点を解決している。
【考案の効果】
【０００５】  上述のように付箋を用いることで、剥離作業が短縮され簡易にテープを剥離することができ、さらに使用済みの粘着テープに貼ってある付箋をつまんで使用済みのテープを剥離できて無駄がない。
【図面の簡単な説明】
【０００６】
【図１】本考案の両面テープと付箋の実施例を示す側面図。
【図２】本両面テープと付箋の正面図。
【図３】カバーケース付きの両面テープの一部切断面。
【考案を実施するための形態】
【０００７】  両面テープ本体を周回できる台紙を設けその台紙に付箋の粘着面が上面となるように貼り、両面テープの粘着面と付箋の粘着面を貼り合わせて一体化させ、双方の粘着力で両面テープを剥離できる形態とした。
カバーケース付きの両面テープには、カバーケースのサイドに付箋を貼り付け上記と同様な効果をもたらした。
【実施例】
【０００８】  以下、添付図面に従って実施例を説明する。
両面テープの粘着面と付箋の粘着面を貼り合わせ、剥がれにくくなった粘着面から付箋一枚をはがし、両方の粘着面が剥がれにくくなっている粘着力を利用して両面テープを剥離する。
【符号の説明】
【０００９】  １  付箋
２  台紙
３  両面テープ
４  カバーケース付きの両面テープのカバーケース
【図１】
0003187925.tif 000003
【図２】
0003187925.tif 000004
【図３】
0003187925.tif 000005
【手続補正書】
【提出日】平成25年8月2日(2013.8.2)
【手続補正１】
【補正対象書類名】実用新案登録請求の範囲
【補正対象項目名】請求項２
【補正方法】変更
【補正の内容】
【請求項２】
カバーケース付きの両面テープにはカバーケースサイドに付箋を貼りつけ、テープ粘着面と付箋粘着面を貼り合わせ剥がれにくくなった双方の粘着力を利用し付箋一枚を剥がして両面テープを剥離するところを特徴とするカバーケース用両面テープと付箋のセット。
(57)【要約】      （修正有）【課題】弦楽器の練習が、大きな楽器全体を持ち運ばずとも、竿の部分だけの練習機で行える弦楽器練習機を提供する。【解決手段】弦楽器の竿部分だけを模したものを作成し、コンパクトに持ち運べるようにした。弦楽器の竿の部分を、左手で弾く部分１と接続部分、右手で引く部分の３つに分断する。３つの部分は軽トラックの荷台の囲いの部分を開けしめするような方法で簡単にしっかり固定できるようにする。【選択図】図１
0003187922.tif 000002
【実用新案登録請求の範囲】
【請求項１】
弦楽器の竿部分だけを模したものを作成し、コンパクトに持ち運べるようにしたことを特徴とする弦楽器練習機
【考案の詳細な説明】
【技術分野】
【０００１】  本考案は、ギター等の弦楽器の竿の部分を指で押さえたり弾いたりして曲を演奏するための練習の際、楽器全体を持ち運ばずとも竿の部分だけをコンパクトに持運び、隙間時間に練習ができるという弦楽器の練習機に関するものである。
【背景技術】
【０００２】  従来の弦楽器の練習、特に趣味で行なう初心者においては、指の練習をいつでもどこでも行なうということが難しく、大きな楽器全体を持ち運ばなければならないということがネックになって、途中で練習を放棄し楽器自体を諦める人が少なからずあった。
【考案の概要】
【考案が解決しようとする課題】
【０００３】  弦楽器の練習が、大きな楽器全体を持ち運ばずとも、竿の部分だけの練習機で行なえる。
【課題を解決するための手段】
【０００４】  弦楽器の竿の部分だけを模したものを作成し、練習しやすくする。
【考案の効果】
【０００５】  竿の部分だけなので、持運びしやすく隙間時間などを利用して練習でき、また実際に音が極く小さいので迷惑になることも少なく、初期の未熟な演奏を気にすることもないので弦楽器の演奏を途中で放棄する人が少なくなることが期待される。また、新にやってみたいという人々の垣根を低くすることも考えられる。現代において、デジタルな音は発達しているが、それは、いくつかの周波数が抜けているとも言われている。それに対して  周波数が抜けていない生の音には、人間の精神を安定させる作用もあると言われている。実際、精神を病んだ子に対して高い効果が認められた私的な経験がある。このような方法で生の音を増やし精神の安定に寄与する力をも秘めている。
【図面の簡単な説明】
【０００６】
【図１】弦楽器の左手で弾く部分
【図２】接続素材
【図３】弦楽器の右手で弾く部分
【図４】固定部分
【考案を実施するための形態】
【０００７】弦楽器の竿の部分を、左手で弾く部分と接続素材、右手で引く部分の３つに分断しコンパクトに持ち運べるようにする。３つの部分は軽トラックの荷台の囲いの部分を開けしめするような方法で簡単にしっかり固定できるようにする。個人によっては、左手で弾く部分だけを購入し使用できる。
【実施例】
【０００８】以下添付図に従って、一実施例を説明する。
１は、弦楽器の左手で弾く部分。２は弦が貼られていない接続部分
３は、右手で弾く部分。４は、固定金具
【符号の説明】
【０００９】１．左手で弾く部分
２．接続部分
３．右手で弾く部分
４．接続金具
【図１】
0003187922.tif 000003
【図２】
0003187922.tif 000004
【図３】
0003187922.tif 000005
【図４】
0003187922.tif 000006